(57)【要約】【課題】ドロワが内側位置と外側位置との間で移動可能でありながら、廃トナーを、ドラムカートリッジから廃トナー収容器に搬送できる画像形成装置を提供する。【解決手段】  ドロワ５は、カバー３Ａが開位置に位置した状態で、内側位置と外側位置との間を、開口２Ａを通って移動可能である。廃トナー搬送管６２Ｍは、ドラムカートリッジ６Ｍが装着されたドロワ５が内側位置に位置している状態で、第１接続位置と第１接続解除位置との間を、第２方向に移動可能である。廃トナー搬送管６２Ｍは、カバー３Ａが閉位置から開位置へ移動する場合に、カバー３Ａに連動して、第１接続位置から第１接続解除位置へ移動し、ドラムカートリッジ６Ｍが装着されたドロワ５は、廃トナー搬送管６２Ｍが第１接続解除位置に位置する場合に、内側位置から外側位置に移動可能となる。【選択図】図１０
2020034700.tif 000002
【特許請求の範囲】
【請求項１】
開口を有する本体筐体と、
前記開口が開く開位置と前記開口を閉じる閉位置との間を移動可能なカバーと、
前記カバーが開位置に位置した状態で、前記本体筐体の内側に位置する内側位置と、前記本体筐体の外側に位置する外側位置との間を、前記開口を通って、第１方向に移動可能なドロワと、
感光ドラムと、前記感光ドラムの周面をクリーニングするドラムクリーナーとを有するドラムカートリッジであって、前記ドロワに装着可能なドラムカートリッジと、
前記ドラムクリーナーによって前記感光ドラムの周面から除去された廃トナーを収容するための廃トナー収容器と、
前記ドラムカートリッジから前記廃トナー収容器に廃トナーを搬送するための廃トナー搬送管であって、前記ドラムカートリッジが装着された前記ドロワが前記内側位置に位置している状態で、前記ドラムカートリッジと接続する第１接続位置と、前記ドラムカートリッジとの接続が解除され、前記ドラムカートリッジが装着された前記ドロワが前記内側位置から前記外側位置に移動可能となる第１接続解除位置との間を、前記第１方向と交差する第２方向に移動可能な廃トナー搬送管と
を備え、
前記廃トナー搬送管は、前記カバーが前記閉位置から前記開位置へ移動する場合に、前記カバーに連動して、前記第１接続位置から前記第１接続解除位置へ移動することを特徴とする、画像形成装置。
【請求項２】
前記廃トナー搬送管は、前記廃トナーを排出する廃トナー排出口を有し、
前記廃トナー排出口は、前記廃トナー搬送管が前記第１接続位置に位置する場合と、前記廃トナー搬送管が前記第１接続解除位置に位置する場合との両方の場合で、前記廃トナー収容器内に位置することを特徴とする、請求項１に記載の画像形成装置。
【請求項３】
前記廃トナー収容器は、前記第２方向に沿って、前記本体筐体から取り外し可能であることを特徴とする、請求項１または２に記載の画像形成装置。
【請求項４】
前記画像形成装置は、さらに、
前記廃トナー排出口を閉じる閉位置と前記廃トナー排出口が開く開位置との間を、前記第２方向に移動可能なシャッターを備え、
前記シャッターは、
前記廃トナー収容器が前記画像形成装置に取り付けられるときに、前記廃トナー収容器と接触した状態で前記閉位置から前記開位置へ移動し、
前記廃トナー収容器が前記画像形成装置から取り外されるときに、前記廃トナー収容器と接触した状態で前記開位置から前記閉位置へ移動し、
前記廃トナー搬送管は、前記廃トナー収容器が前記画像形成装置に取り付けられ、前記シャッターが前記開位置に位置した状態で、前記第１接続位置と前記第１接続解除位置との間を移動可能であることを特徴とする、請求項２に記載の画像形成装置。
【請求項５】
前記画像形成装置は、さらに、
第２感光ドラムと、前記第２感光ドラムの周面をクリーニングする第２ドラムクリーナーとを有する第２ドラムカートリッジであって、前記ドロワに装着可能な第２ドラムカートリッジであり、前記ドラムカートリッジと前記第２ドラムカートリッジとが前記ドロワに装着された状態で、前記第１方向において前記ドラムカートリッジと並ぶ第２ドラムカートリッジと、
廃トナーを前記第２ドラムカートリッジから前記廃トナー収容器に搬送するための第２廃トナー搬送管と
を備え、
前記廃トナー収容器が前記画像形成装置に取り付けられた状態で、前記廃トナー搬送管および前記第２廃トナー搬送管は、前記廃トナー収容器と接続することを特徴とする、請求項１から請求項４のいずれか一項に記載の画像形成装置。
【請求項６】
前記画像形成装置は、さらに、
前記ドラムカートリッジが前記ドロワに装着され、前記ドロワが前記内側位置に位置する状態で、前記ドラムカートリッジに前記画像形成装置からの動力を伝えるための本体カップリングを備え、
前記本体カップリングは、前記第２方向において、前記ドラムカートリッジに対して、前記廃トナー搬送管の反対側に位置することを特徴とすることを特徴とする、請求項１から請求項５のいずれか一項に記載の画像形成装置。
【請求項７】
前記ドラムカートリッジは、
前記ドラムカートリッジが前記ドロワに装着され、前記ドロワが前記内側位置に位置する状態で、前記本体カップリングと接続される第１ドラムカップリングであって、前記本体カップリングと接続された状態で、前記本体カップリングとともに回転可能な第１ドラムカップリングであり、前記第２方向における前記ドラムカートリッジの一方の外表面に位置する第１ドラムカップリングと、
前記第１ドラムカップリングからの動力により回転可能な第２ドラムカップリングであって、前記第２方向における前記ドラムカートリッジの他方の外表面に位置する第２ドラムカップリングと
を備え、
前記廃トナー搬送管は、
前記ドラムカートリッジが前記ドロワに装着され、前記ドロワが前記内側位置に位置する状態で、前記第２ドラムカップリングと接続される搬送管カップリングであって、前記第２ドラムカップリングと接続された状態で、前記第２ドラムカップリングとともに回転可能な搬送管カップリングを備えることを特徴とする、請求項６に記載の画像形成装置。
【請求項８】
前記画像形成装置は、さらに、
前記第２方向において、前記ドラムカートリッジに対して、前記本体カップリングの反対側に位置する回路基板を備えることを特徴とする、請求項６または請求項７に記載の画像形成装置。
【請求項９】
前記画像形成装置は、さらに、
前記第２方向において、前記ドラムカートリッジに対して、前記本体カップリングの反対側に位置する第２回路基板であって、前記第１方向および前記第２方向の両方と交差する第３方向において前記回路基板と間隔を隔てて位置する第２回路基板を備え、
前記廃トナー搬送管は、第３方向において、前記回路基板と前記第２回路基板との間に位置することを特徴とする、請求項８に記載の画像形成装置。
【請求項１０】
前記画像形成装置は、さらに、
前記ドラムカートリッジに供給されるトナーを収容するトナー収容器と、
前記トナー収容器からのトナーを前記ドラムカートリッジに搬送するためのトナー搬送管であって、前記ドラムカートリッジに接続される第２接続位置と、前記ドラムカートリッジとの接続が解除される第２接続解除位置との間を、前記第２方向に移動可能なトナー搬送管と
を備え、
前記トナー搬送管は、前記第２方向において、前記ドラムカートリッジに対して、前記廃トナー搬送管の反対側に位置することを特徴とする、請求項１から請求項９のいずれか一項に記載の画像形成装置。
【請求項１１】
前記トナー収容器は、
トナーを収容する筐体であって、トナーを排出するためのトナー排出口を有する筐体と、
前記筐体の外表面に位置する第１シャッターであって、前記トナー排出口を閉じる第１閉位置と前記トナー排出口が開く第１開位置との間を、前記第２方向に移動可能な第１シャッターと、
前記筐体内に位置する第２シャッターであって、前記トナー排出口を閉じる第２閉位置と前記トナー排出口が開く第２開位置との間を、前記第２方向に延びる軸について回転可能な第２シャッターと
を備えることを特徴とする、請求項１０に記載の画像形成装置。
【請求項１２】
前記トナー収容器は、前記第２方向に沿って、前記画像形成装置に装着可能であることを特徴とする、請求項１０または請求項１１に記載の画像形成装置。
【請求項１３】
前記画像形成装置は、さらに、
前記カバーに連動するカムであって、前記カバーが前記閉位置から前記開位置へ移動するときに前記廃トナー搬送管を前記第１接続位置から前記第１接続解除位置へ押圧する第１押圧部と、前記カバーが前記閉位置から前記開位置へ移動するときに前記トナー搬送管を前記第２接続位置から前記第２接続解除位置へ押圧する第２押圧部とを有するカムを備えることを特徴とする、請求項１０に記載の画像形成装置。
【請求項１４】
前記画像形成装置は、さらに、
前記ドロワの移動を案内するガイドであって、前記本体筐体内に収容される収容位置と、前記本体筐体外に突出する突出位置との間を、前記開口を介して移動可能なガイドであり、前記カバーが前記閉位置から前記開位置へ移動する場合に、前記カバーに連動して、前記収容位置から前記突出位置へ移動するガイドを備えることを特徴とする、請求項１から請求項１３のいずれか一項に記載の画像形成装置。
【請求項１５】
前記第２方向は、前記感光ドラムの軸線が延びる方向であることを特徴とする、請求項１から請求項１４のいずれか一項に記載の画像形成装置。
【発明の詳細な説明】
【技術分野】
【０００１】
本開示は、画像形成装置に関する。
【背景技術】
【０００２】
従来、本体筐体と、カバーと、ドロワと、ドラムカートリッジと、トナー収容器と、トナー搬送管とを備える画像形成装置が知られている。本体筐体は、開口を有する。カバーは、開口が開く開位置と、開口を閉じる閉位置との間を移動可能である。ドロワは、カバーが開位置に位置した状態で、本体筐体の内側に位置する内側位置と、本体筐体の外側に位置する外側位置との間を、開口を通って、第１方向に移動可能である。ドラムカートリッジは、感光ドラムを有する。トナー収容器は、ドラムカートリッジに供給されるトナーを収容する。トナー搬送管は、トナー収容器からドラムカートリッジにトナーを搬送する。トナー搬送管は、ドラムカートリッジに接続される接続位置と、ドラムカートリッジとの接続が解除される接続解除位置との間を、第１方向と交差する第２方向に移動可能である（下記特許文献１参照）。
【先行技術文献】
【特許文献】
【０００３】
【特許文献１】特開２０１３−０２９７５５号公報
【発明の概要】
【発明が解決しようとする課題】
【０００４】
上記した特許文献１に記載されるような画像形成装置において、感光ドラムの周面から廃トナーを取り除いて回収することが、望まれる。
【０００５】
この場合、ドロワが内側位置と外側位置との間で移動可能であるように構成しながら、廃トナーを、ドラムカートリッジから廃トナー収容器に搬送する必要がある。
【０００６】
そこで、本開示の目的は、ドロワが内側位置と外側位置との間で移動可能でありながら、廃トナーを、ドラムカートリッジから廃トナー収容器に搬送できる画像形成装置を提供することにある。
【課題を解決するための手段】
【０００７】
（１）本開示の画像形成装置は、本体筐体と、カバーと、ドロワと、ドラムカートリッジと、廃トナー収容器と、廃トナー搬送管とを備える。本体筐体は、開口を有する。カバーは、開口が開く開位置と開口を閉じる閉位置との間を移動可能である。ドロワは、カバーが開位置に位置した状態で、本体筐体の内側に位置する内側位置と、本体筐体の外側に位置する外側位置との間を、開口を通って、第１方向に移動可能である。ドラムカートリッジは、感光ドラムと、ドラムクリーナーとを有する。ドラムクリーナーは、感光ドラムの周面をクリーニングする。ドラムカートリッジは、ドロワに装着可能である。廃トナー収容器は、ドラムクリーナーによって感光ドラムの周面から除去された廃トナーを収容する。廃トナー搬送管は、ドラムカートリッジから廃トナー収容器に廃トナーを搬送する。廃トナー搬送管は、ドラムカートリッジが装着されたドロワが内側位置に位置している状態で、第１接続位置と、第１接続解除位置との間を、第２方向に移動可能である。廃トナー搬送管が第１接続位置に位置する場合、廃トナー接続管は、ドラムカートリッジと接続する。廃トナー搬送管が第１接続解除位置に位置する場合、廃トナー搬送管は、ドラムカートリッジとの接続が解除され、ドラムカートリッジが装着されたドロワが、内側位置から外側位置に移動可能となる。第２方向は、第１方向と交差する。
【０００８】
廃トナー搬送管は、カバーが閉位置から開位置へ移動する場合に、カバーに連動して、第１接続位置から第１接続解除位置へ移動する。
【０００９】
このような構成により、画像形成装置は、廃トナー搬送管によって、ドラムカートリッジから廃トナー収容器に廃トナーを搬送することができる。
【００１０】
そして、画像形成装置は、ユーザーがカバーを閉位置から開位置で移動させることにより、廃トナー搬送管とドラムカートリッジとの接続を解除し、ドロワを内側位置と外側位置との間で移動させることができる。
【００１１】
そのため、画像形成装置は、ドロワが内側位置と外側位置との間で移動可能でありながら、廃トナーを、ドラムカートリッジから廃トナー収容器に搬送できる。
【００１２】
（２）廃トナー搬送管は、廃トナー排出口を有してもよい。廃トナー排出口は、廃トナーを排出する。廃トナー排出口は、廃トナー搬送管が第１接続位置に位置する場合と、廃トナー搬送管が第１接続解除位置に位置する場合との両方の場合で、廃トナー収容器内に位置する。
【００１３】
（３）廃トナー収容器は、第２方向に沿って、本体筐体から取り外し可能であってもよい。
【００１４】
（４）画像形成装置は、さらに、シャッターを備えてもよい。シャッターは、廃トナー排出口を閉じる閉位置と廃トナー排出口が開く開位置との間を、第２方向に移動可能である。シャッターは、廃トナー収容器が画像形成装置に取り付けられるときに、廃トナー収容器と接触した状態で閉位置から開位置へ移動する。シャッターは、廃トナー収容器が画像形成装置から取り外されるときに、廃トナー収容器と接触した状態で開位置から閉位置へ移動する。廃トナー搬送管は、廃トナー収容器が画像形成装置に取り付けられ、シャッターが開位置に位置した状態で、第１接続位置と第１接続解除位置との間を移動可能である。
【００１５】
（５）画像形成装置は、さらに、第２ドラムカートリッジと、第２廃トナー搬送管とを備えてもよい。第２ドラムカートリッジは、第２感光ドラムと、第２ドラムクリーナーとを有する。第２ドラムクリーナーは、第２感光ドラムの周面をクリーニングする。第２ドラムカートリッジは、ドロワに装着可能である。第２ドラムカートリッジは、ドラムカートリッジと第２ドラムカートリッジとがドロワに装着された状態で、第１方向においてドラムカートリッジと並ぶ。第２廃トナー搬送管は、廃トナーを第２ドラムカートリッジから廃トナー収容器に搬送する。廃トナー収容器が画像形成装置に取り付けられた状態で、廃トナー搬送管および第２廃トナー搬送管は、廃トナー収容器と接続する。
【００１６】
（６）画像形成装置は、さらに、本体カップリングを備えてもよい。本体カップリングは、ドラムカートリッジがドロワに装着され、ドロワが内側位置に位置する状態で、ドラムカートリッジに画像形成装置からの動力を伝える。本体カップリングは、第２方向において、ドラムカートリッジに対して、廃トナー搬送管の反対側に位置する。
【００１７】
（７）ドラムカートリッジは、第１ドラムカップリングと、第２ドラムカップリングとを備えてもよい。第１ドラムカップリングは、ドラムカートリッジがドロワに装着され、ドロワが内側位置に位置する状態で、本体カップリングと接続される。第１ドラムカップリングは、本体カップリングと接続された状態で、本体カップリングとともに回転可能である。第１ドラムカップリングは、第２方向におけるドラムカートリッジの一方の外表面に位置する。第２ドラムカップリングは、第１ドラムカップリングからの動力により回転可能である。第２ドラムカップリングは、第２方向におけるドラムカートリッジの他方の外表面に位置する。廃トナー搬送管は、搬送管カップリングを備える。搬送管カップリングは、ドラムカートリッジがドロワに装着され、ドロワが内側位置に位置する状態で、第２ドラムカップリングと接続される。搬送管カップリングは、第２ドラムカップリングと接続された状態で、第２ドラムカップリングとともに回転可能である。
【００１８】
（８）画像形成装置は、さらに、回路基板を備えてもよい。回路基板は、第２方向において、ドラムカートリッジに対して、本体カップリングの反対側に位置する。
【００１９】
（９）画像形成装置は、さらに、第２回路基板を備えてもよい。第２回路基板は、第２方向において、ドラムカートリッジに対して、本体カップリングの反対側に位置する。第２回路基板は、第１方向および第２方向の両方と交差する第３方向において回路基板と間隔を隔てて位置する。廃トナー搬送管は、第３方向において、回路基板と第２回路基板との間に位置する。
【００２０】
（１０）画像形成装置は、さらに、トナー収容器と、トナー搬送管とを備えてもよい。トナー収容器は、ドラムカートリッジに供給されるトナーを収容する。トナー搬送管は、トナー収容器からドラムカートリッジにトナーを搬送する。トナー搬送管は、ドラムカートリッジに接続される第２接続位置と、ドラムカートリッジとの接続が解除される第２接続解除位置との間を、第２方向に移動可能である。トナー搬送管は、第２方向において、ドラムカートリッジに対して、廃トナー搬送管の反対側に位置する。
【００２１】
（１１）トナー収容器は、筐体と、第１シャッターと、第２シャッターとを備えてもよい。筐体は、トナーを収容する。筐体は、トナーを排出するためのトナー排出口を有する。第１シャッターは、筐体の外表面に位置する。第１シャッターは、トナー排出口を閉じる第１閉位置とトナー排出口が開く第１開位置との間を、第２方向に移動可能である。第２シャッターは、筐体内に位置する。第２シャッターは、トナー排出口を閉じる第２閉位置とトナー排出口が開く第２開位置との間を、第２方向に延びる軸について回転可能である。
【００２２】
（１２）トナー収容器は、第２方向に沿って、画像形成装置に装着可能であってもよい。
【００２３】
（１３）画像形成装置は、さらに、カムを備えてもよい。カムは、カバーに連動する。カムは、第１押圧部と、第２押圧部とを有する。第１押圧部は、カバーが閉位置から開位置へ移動するときに廃トナー搬送管を第１接続位置から第１接続解除位置へ押圧する。第２押圧部は、カバーが閉位置から開位置へ移動するときにトナー搬送管を第２接続位置から第２接続解除位置へ押圧する。
【００２４】
（１４）画像形成装置は、さらに、ガイドを備えてもよい。ガイドは、ドロワの移動を案内する。ガイドは、本体筐体内に収容される収容位置と、開口を介して本体筐体外に突出する突出位置との間を移動可能である。ガイドは、カバーが閉位置から開位置へ移動する場合に、カバーに連動して、収容位置から突出位置へ移動する。
【００２５】
（１５）第２方向は、感光ドラムの軸線が延びる方向であってもよい。
【発明の効果】
【００２６】
本開示の画像形成装置によれば、ドロワが内側位置と外側位置との間で移動可能でありながら、廃トナーを、ドラムカートリッジから廃トナー収容器に搬送できる。
【図面の簡単な説明】
【００２７】
【図１】図１は、画像形成装置の外観を示す図である。
【図２】図２は、図１に示す画像形成装置の概略を説明するための図である。
【図３】図３は、図２に示すドロワが外側位置に位置した状態を示す図である。
【図４】図４は、図２に示すドラムカートリッジの拡大図である。
【図５】図５Ａは、図４に示すドラムカートリッジを第１方向から見た側面図である。図５Ｂは、図５Ａに示すドラムカートリッジであって、第１接続部のシャッターが開位置に位置し、かつ、第２接続部のシャッターが開位置に位置した状態を示す。
【図６】図６Ａは、図５Ａに示すドラムカートリッジを第２方向の一方から見た側面図である。図６Ｂは、図５Ａに示すドラムカートリッジを第２方向の他方から見た側面図である。
【図７】図７Ａは、トナー収容器の断面図であって、第１シャッターが第１閉位置に位置し、かつ、第２シャッターが第２閉位置に位置した状態を示す。図７Ｂは、図７Ａに示すトナー収容器であって、第１シャッターが第１開位置に位置し、かつ、第２シャッターが第２開位置に位置した状態を示す。
【図８】図８は、画像形成装置の断面図であって、図２のＡ−Ａ線に相当する断面図である。
【図９】図９は、カバーと、廃トナー搬送管、トナー搬送管および本体カップリングとの連動を説明する説明図であって、カバーが閉位置に位置し、廃トナー搬送管が第１接続位置に位置し、トナー搬送管が第２接続位置に位置し、本体カップリングが本体カップリング接続位置に位置した状態を示す。
【図１０】図１０は、図９とともに、カバーと、廃トナー搬送管、トナー搬送管および本体カップリングとの連動を説明する説明図であって、カバーが開位置に位置し、廃トナー搬送管が第１接続解除位置に位置し、トナー搬送管が第２接続解除位置に位置し、本体カップリングが本体カップリング接続解除位置に位置した状態を示す。
【図１１】図１１Ａは、図８に示す廃トナー搬送管の拡大図である。図１１Ｂは、図１１Ａに示す廃トナー搬送管であって、シャッターが開位置に位置した状態を示す。
【図１２】図１２は、廃トナー収容器およびトナー収容器が画像形成装置から取り外された状態を示す図である。
【図１３】図１３は、図８に示すトナー搬送管の拡大図である。
【図１４】図１４は、図８に示す画像形成装置であって、カバーが開位置に位置した状態を示す。
【図１５】図１５は、図９に示すカムの斜視図である。
【発明を実施するための形態】
【００２８】
１．画像形成装置の概略
図１から図４を参照して、画像形成装置１の概略について説明する。
【００２９】
画像形成装置１は、図１または図２に示すように、本体筐体２と、カバー３Ａと、第２カバー３Ｂと、第３カバー３Ｃと、給紙カセット４と、ドロワ５と、４つのドラムカートリッジ６Ｙ、６Ｍ、６Ｃ、６Ｋと、４つのトナー収容器７Ｙ、７Ｍ、７Ｃ、７Ｋと、露光装置８と、中間転写装置９と、二次転写ローラ１０と、定着装置１１とを備える。
【００３０】
１．１  本体筐体およびカバー
本体筐体２は、図２に示すように、給紙カセット４と、ドロワ５と、４つのドラムカートリッジ６Ｙ、６Ｍ、６Ｃ、６Ｋと、４つのトナー収容器７Ｙ、７Ｍ、７Ｃ、７Ｋと、露光装置８と、中間転写装置９と、二次転写ローラ１０と、定着装置１１とを収容する。
【００３１】
本体筐体２は、図１に示すように、開口２Ａと、第２開口２Ｂと、第３開口２Ｃとを有する。開口２Ａは、第１方向における本体筐体２の一方の外表面Ｓ１に位置する。第２開口２Ｂは、第２方向における本体筐体２の一方の外表面Ｓ２に位置する。第３開口２Ｃは、第２方向における本体筐体２の一方の外表面Ｓ２に位置する。また、第３開口２Ｃは、第２開口２Ｂよりも上方に位置する。
【００３２】
なお、第１方向は、ドロワ５の移動方向である。第２方向は、感光ドラム１５Ｙの軸線Ａ１が延びる方向である。ドロワ５および感光ドラム１５Ｙについては、後で説明する。第２方向は、第１方向と交差する。好ましくは、第２方向は、第１方向と直交する。
【００３３】
カバー３Ａは、開位置（図３参照）と、閉位置（図２参照）との間を移動可能である。カバー３Ａが開位置に位置する場合、開口２Ａが、開く。カバー３Ａが閉位置に位置する場合、カバー３Ａは、開口２Ａを閉じる。
【００３４】
第２カバー３Ｂは、開位置（図１２参照）と、閉位置（図８参照）との間を移動可能である。第２カバー３Ｂが開位置に位置する場合、第２開口２Ｂが、開く。第２カバー３Ｂが閉位置に位置する場合、第２カバー３Ｂは、第２開口２Ｂを閉じる。
【００３５】
第３カバー３Ｃは、開位置（図１２参照）と、閉位置（図８参照）との間を移動可能である。第３カバー３Ｃが開位置に位置する場合、第３開口２Ｃが、開く。第３カバー３Ｃが閉位置に位置する場合、第３カバー３Ｃは、第３開口２Ｃを閉じる。
【００３６】
１．２  給紙カセット
給紙カセット４は、図２に示すように、印刷用紙Ｐを収容可能である。給紙カセット４内の印刷用紙Ｐは、ピックアップローラ１２、給紙ローラ１３および搬送ローラ１４により、二次転写ローラ１０に向かって搬送される。
【００３７】
１．３  ドロワ
ドロワ５は、図２および図３に示すように、カバー３Ａが開位置に位置した状態で、内側位置（図２参照）と、外側位置（図３参照）との間を、開口２Ａを通って、第１方向に移動可能である。ドロワ５が内側位置に位置した状態で、ドロワ５は、本体筐体２の内側に位置する。ドロワ５が内側位置に位置した状態で、ドロワ５は、給紙カセット４の上方に位置する。ドロワ５が外側位置に位置した状態で、ドロワ５は、本体筐体２の外側に位置する。
【００３８】
１．４  ドラムカートリッジ
４つのドラムカートリッジ６Ｙ、６Ｍ、６Ｃ、６Ｋのそれぞれは、図２に示すように、ドロワ５に装着可能である。４つのドラムカートリッジ６Ｙ、６Ｍ、６Ｃ、６Ｋは、ドロワ５に装着された状態で、第１方向に並ぶ。つまり、ドラムカートリッジ６Ｙは、ドラムカートリッジ６Ｙとドラムカートリッジ６Ｍとがドロワ５に装着された状態で、第１方向においてドラムカートリッジ６Ｍと並ぶ。
【００３９】
ドラムカートリッジ６Ｍは、図４に示すように、感光ドラム１５Ｍと、帯電ローラ１６Ｍと、現像器１７Ｍと、ドラムクリーナー１８Ｍとを有する。
【００４０】
感光ドラム１５Ｍは、第２方向に延びる軸線Ａ１について回転可能である。感光ドラム１５Ｍは、第２方向に延びる。感光ドラム１５Ｍは、円筒形状を有する。
【００４１】
帯電ローラ１６Ｍは、感光ドラム１５Ｍの周面を帯電させる。なお、ドラムカートリッジ６Ｍは、帯電ローラ１６Ｍの代わりに、スコロトロン型の帯電器を備えてもよい。
【００４２】
現像器１７Ｍは、感光ドラム１５Ｍの周面にトナーを供給するように構成される。現像器１７Ｍは、第２方向に延びる揺動軸Ａ２について揺動可能である。現像器１７Ｍは、現像筐体１９Ｍと、現像ローラ２０Ｍとを備える。
【００４３】
現像筐体１９Ｍは、トナーを収容する。
【００４４】
現像ローラ２０Ｍは、現像筐体１９Ｍに支持される。現像ローラ２０Ｍは、第２方向に延びる軸線について回転可能である。現像ローラ２０Ｍは、感光ドラム１５Ｍと接触する。これにより、現像ローラ２０Ｍは、現像筐体１９Ｍ内のトナーを感光ドラム１５Ｍの表面に供給可能である。
【００４５】
ドラムクリーナー１８Ｍは、感光ドラム１５Ｍの周面をクリーニングする。ドラムクリーナー１８Ｍは、クリーニングブレード２１Ｍと、クリーナー筐体２２Ｍと、オーガスクリュー２３Ｍとを備える。
【００４６】
クリーニングブレード２１Ｍは、平板形状を有する。クリーニングブレード２１Ｍは、第２方向に延びる。クリーニングブレード２１Ｍのエッジは、感光ドラム１５Ｍの周面に接触する。クリーニングブレード２１Ｍは、感光ドラム１５Ｍが回転したときに、感光ドラム１５Ｍの周面に残るトナーを、感光ドラム１５Ｍの周面から掻き取る。これにより、感光ドラム１５Ｍの周面は、クリーニングされる。クリーニングブレード２１Ｍにより感光ドラム１５Ｍの周面から掻き取られたトナーを、廃トナーと定義する。
【００４７】
クリーナー筐体２２Ｍは、クリーニングブレード２１Ｍを支持する。クリーナー筐体２２Ｍは、廃トナーを収容する。
【００４８】
オーガスクリュー２３Ｍは、クリーナー筐体２２Ｍ内に位置する。オーガスクリュー２３Ｍは、クリーナー筐体２２Ｍ内の廃トナーを第２方向に搬送する。
【００４９】
なお、図２に示すように、ドラムカートリッジ６Ｙ、６Ｃ、６Ｋは、ドラムカートリッジ６Ｍと同じ構造を有する。すなわち、ドラムカートリッジ６Ｙは、感光ドラム１５Ｙと、ドラムクリーナー１８Ｙとを有する。ドラムクリーナー１８Ｙは、感光ドラム１５Ｙの周面をクリーニングする。
【００５０】
１．５  トナー収容器
図２に示すように、４つのトナー収容器７Ｙ、７Ｍ、７Ｃ、７Ｋは、第３カバー３Ｃが開位置に位置する状態で、第３開口２Ｃ（図１２参照）を通って、第２方向に沿って、画像形成装置１に装着可能である。トナー収容器７Ｙは、ドラムカートリッジ６Ｙの現像器１７Ｙに供給されるトナーを収容する。トナー収容器７Ｍは、ドラムカートリッジ６Ｍの現像器１７Ｍに供給されるトナーを収容する。トナー収容器７Ｃは、ドラムカートリッジ６Ｃの現像器１７Ｃに供給されるトナーを収容する。トナー収容器７Ｋは、ドラムカートリッジ６Ｋの現像器１７Ｋに供給されるトナーを収容する。
【００５１】
１．６  中間転写装置
中間転写装置９は、４つのドラムカートリッジ６Ｙ、６Ｍ、６Ｃ、６Ｋがドロワ５に装着され、ドロワ５が内側位置に位置した状態で、４つのドラムカートリッジ６Ｙ、６Ｍ、６Ｃ、６Ｋの上方に位置する。中間転写装置９は、中間転写ベルト２４と、４つの一次転写ローラ２５Ｙ、２５Ｍ、２５Ｃ、２５Ｋとを備える。
【００５２】
中間転写ベルト２４は、４つのドラムカートリッジ６Ｙ、６Ｍ、６Ｃ、６Ｋがドロワ５に装着され、ドロワ５が内側位置に位置した状態で、４つの感光ドラム１５Ｙ、１５Ｍ、１５Ｃ、１５Ｋと接触する。
【００５３】
一次転写ローラ２５Ｙは、感光ドラム１５Ｙのトナー像を、中間転写ベルト２４に転写する。一次転写ローラ２５Ｍは、感光ドラム１５Ｍのトナー像を、中間転写ベルト２４に転写する。一次転写ローラ２５Ｃは、感光ドラム１５Ｃのトナー像を、中間転写ベルト２４に転写する。一次転写ローラ２５Ｋは、感光ドラム１５Ｋのトナー像を、中間転写ベルト２４に転写する。
【００５４】
１．７  二次転写ローラ
二次転写ローラ１０は、中間転写ベルト２４に転写されたトナー像を、印刷用紙Ｐに転写する。給紙カセット４から供給された印刷用紙Ｐは、二次転写ローラ１０と中間転写ベルト２４との間を通って、定着装置１１に搬送される。このとき、二次転写ローラ１０は、中間転写ベルト２４上のトナー像を印刷用紙Ｐに転写する。
【００５５】
１．８  定着装置
定着装置１１は、トナー像が転写された印刷用紙Ｐを加熱および加圧して、印刷用紙Ｐにトナー像を定着させる。定着装置１１を通過した印刷用紙Ｐは、本体筐体２の上面に排紙される。
【００５６】
２．ドラムカートリッジの詳細
図５Ａから図６Ｂを参照して、ドラムカートリッジ６Ｍの詳細について説明する。なお、ドラムカートリッジ６Ｙ、６Ｃ、６Ｋのそれぞれは、ドラムカートリッジ６Ｍと同じ構造を有する。そのため、以下の説明において、ドラムカートリッジ６Ｙ、６Ｃ、６Ｋについての説明を省略する。
【００５７】
ドラムカートリッジ６Ｍは、図５Ａに示すように、上記した感光ドラム１５Ｍ、帯電ローラ１６Ｍ（図４参照）、現像器１７Ｍ、ドラムクリーナー１８Ｍ（図４参照）に加えて、第１側板３１Ａと、第２側板３１Ｂと、第１ドラムカップリング３２と、トナー搬送管６５Ｍ（図８参照）が接続される第１接続部３３と、廃トナー搬送管６２Ｍ（図８参照）が接続される第２接続部３４とを備える。トナー搬送管６５Ｍおよび廃トナー搬送管６２Ｍについては、後で説明する。
【００５８】
２．１  ドラム側板
第１側板３１Ａは、図５Ａおよび図６Ａに示すように、第２方向におけるドラムカートリッジ６Ｍの一方の端部に位置する。第１側板３１Ａは、第２方向におけるドラムカートリッジ６Ｍの一方の外表面Ｓ１１を有する。第１側板３１Ａは、第２方向における感光ドラム１５Ｍの一方の端部を支持する。また、第１側板３１Ａは、第２方向における現像器１７Ｍの一方の端部を支持する。詳しくは、現像器１７Ｍは、図５Ａに示すように、突出部１７１Ｍと、突出部１７２Ｍとを有する。突出部１７１Ｍは、第２方向における現像筐体１９Ｍの一方の端部から延びる。突出部１７１Ｍは、揺動軸Ａ２に沿って延びる。突出部１７１Ｍは、円筒形状を有する。突出部１７２Ｍは、第２方向において、現像筐体１９Ｍに対して突出部１７１Ｍの反対側に位置する。突出部１７２Ｍは、第２方向における現像筐体１９Ｍの他方の端部から延びる。突出部１７２Ｍは、揺動軸Ａ２に沿って延びる。突出部１７２Ｍは、円筒形状を有する。第１側板３１Ａは、図６Ａに示すように、貫通穴３１１Ａを有する。貫通穴３１１Ａは、円形状を有する。突出部１７１Ｍは、貫通穴３１１Ａに嵌まる。突出部１７１Ｍは、第１側板３１Ａに対して回転可能である。
【００５９】
第２側板３１Ｂは、図５Ａおよび図６Ｂに示すように、第２方向におけるドラムカートリッジ６Ｍの他方の端部に位置する。第２側板３１Ｂは、第２方向において、第１側板３１Ａから離れて位置する。第２側板３１Ｂは、第２方向におけるドラムカートリッジ６Ｍの他方の外表面Ｓ１２を有する。外表面Ｓ１２は、第２方向において、外表面Ｓ１１から離れて位置する。第２側板３１Ｂは、第２方向における感光ドラム１５Ｍの他方の端部を支持する。また、第２側板３１Ｂは、第２方向における現像器１７Ｍの他方の端部を支持する。第２側板３１Ｂは、図６Ｂに示すように、貫通穴３１１Ｂを有する。貫通穴３１１Ｂは、円形状を有する。突出部１７２Ｍは、貫通穴３１１Ｂに嵌まる。突出部１７２Ｍは、第２側板３１Ｂに対して回転可能である。突出部１７１Ｍが貫通穴３１１Ａに嵌まり、突出部１７２Ｍが貫通穴３１１Ｂに嵌まり、突出部１７１Ｍが第１側板３１Ａに対して回転可能であり、突出部１７２Ｍが第２側板３１Ｂに対して回転可能であることにより、現像器１７Ｍは、揺動軸Ａ２について揺動可能である。
【００６０】
２．２  第１ドラムカップリング
第１ドラムカップリング３２は、図５Ａおよび図６Ａに示すように、第２方向におけるドラムカートリッジ６Ｍの一方の外表面Ｓ１１に位置する。詳しくは、第１ドラムカップリング３２は、第２方向における感光ドラム１５Ｍの一方の端部に位置する。第１ドラムカップリング３２は、第１側板３１Ａに支持される。第１ドラムカップリング３２は、感光ドラム１５Ｍとともに回転可能である。第１ドラムカップリング３２は、ドラムカートリッジ６Ｍがドロワ５に装着され、ドロワ５が内側位置に位置する状態で、本体カップリング６１Ｍ（図８参照）と接続される。第１ドラムカップリング３２は、本体カップリング６１Ｍと接続された状態で、本体カップリング６１Ｍとともに回転可能である。
【００６１】
２．３  第１接続部
第１接続部３３は、図５Ａおよび図６Ａに示すように、第２方向におけるドラムカートリッジ６Ｍの一方の外表面Ｓ１１に位置する。第１接続部３３は、第１側板３１Ａから延びる。第１接続部３３は、第２方向に延びる。第１接続部３３は、円筒形状を有する。第１接続部３３は、現像器１７Ｍの突出部１７１Ｍと通じる。詳しくは、第１接続部３３は、貫通穴３３Ａを有する。貫通穴３３Ａは、突出部１７１Ｍの受入口１７３と通じる。また、貫通穴３３Ａは、トナー搬送管６５Ｍが第１接続部３３に接続された状態で、トナー搬送管６５Ｍのトナー排出口６５２Ｍ（図１３参照）と通じる。これにより、トナー搬送管６５Ｍ内のトナーは、トナー排出口６５２Ｍ、貫通穴３３Ａおよび受入口１７３を通って、現像器１７Ｍの突出部１７１Ｍ内に入る。また、第１接続部３３は、シャッター３３Ｂと、バネ３３Ｃとを備える。
【００６２】
シャッター３３Ｂは、貫通穴３３Ａを閉じる閉位置（図５Ａ参照）と、貫通穴３３Ａが開く開位置（図５Ｂ参照）との間を、第２方向に移動可能である。
【００６３】
バネ３３Ｃは、開位置に位置するシャッター３３Ｂを閉位置に向かって押圧する。シャッター３３Ｂは、トナー搬送管６５Ｍが第１接続部３３に接続されるときに、トナー搬送管６５Ｍによって押圧されることにより、バネ３３Ｃの押圧力に抗して、閉位置から開位置へ移動する。また、シャッター３３Ｂは、トナー搬送管６５Ｍと第１接続部３３との接続が解除されるときに、バネ３３Ｃの押圧力によって、開位置から閉位置へ移動する。
【００６４】
２．４  第２接続部
第２接続部３４は、図５Ａおよび図６Ｂに示すように、第２方向におけるドラムカートリッジ６Ｍの他方の外表面Ｓ１２に位置する。第２接続部３４は、第２側板３１Ｂから延びる。第２接続部３４は、第２方向に延びる。第２接続部３４は、円筒形状を有する。第２接続部３４は、ドラムクリーナー１８Ｍと通じる。詳しくは、第２接続部３４は、貫通穴３４Ａを有する。貫通穴３４Ａは、ドラムクリーナー１８Ｍの内部空間と通じる。貫通穴３４Ａは、廃トナー搬送管６２Ｍが第２接続部３４に接続された状態で、廃トナー搬送管６２Ｍの廃トナー受入口６２１Ｍ（図１１Ａ参照）と通じる。これにより、ドラムクリーナー１８Ｍ内の廃トナーは、貫通穴３４Ａおよび廃トナー受入口６２１Ｍを通って、廃トナー搬送管６２Ｍ内に入る。また、第２接続部３４は、シャッター３４Ｂと、バネ３４Ｃと、第２ドラムカップリング３４Ｄとを備える。すなわち、ドラムカートリッジ６Ｍは、第２ドラムカップリング３４Ｄを備える。また、第２ドラムカップリング３４Ｄは、第２方向におけるドラムカートリッジ６Ｍの他方の外表面Ｓ１２に位置する。
【００６５】
シャッター３４Ｂは、第２接続部３４内に位置する。シャッター３４Ｂは、貫通穴３４Ａを閉じる閉位置（図５Ａ参照）と、貫通穴３４Ａが開く開位置（図５Ｂ参照）との間を、第２方向に移動可能である。
【００６６】
バネ３４Ｃは、第２接続部３４内に位置する。バネ３４Ｃは、開位置に位置するシャッター３４Ｂを閉位置に向かって押圧する。シャッター３４Ｂは、廃トナー搬送管６２Ｍが第２接続部３４に接続されるときに、廃トナー搬送管６２Ｍによって押圧されることにより、バネ３４Ｃの押圧力に抗して、閉位置から開位置へ移動する。また、シャッター３４Ｂは、廃トナー搬送管６２Ｍと第２接続部３４との接続が解除されるときに、バネ３４Ｃの押圧力によって、開位置から閉位置へ移動する。
【００６７】
第２ドラムカップリング３４Ｄは、第２接続部３４内に位置する。第２ドラムカップリング３４Ｄは、第１ドラムカップリング３２からの動力により回転可能である。第２ドラムカップリング３４Ｄは、廃トナー搬送管６２Ｍが第２接続部３４に接続された状態で、廃トナー搬送管６２Ｍの搬送管カップリング６２４Ｍ（図１１Ａ参照）と接続する。第２ドラムカップリング３４Ｄは、搬送管カップリング６２４Ｍと接続された状態で、搬送管カップリング６２４Ｍとともに回転可能である。これにより、第２ドラムカップリング３４Ｄは、廃トナー搬送管６２Ｍが第２接続部３４に接続された状態で、搬送管カップリング６２４Ｍに動力を伝えることができる。
【００６８】
３．トナー収容器の詳細
図７Ａおよび図７Ｂを参照して、トナー収容器７Ｍの詳細について説明する。なお、トナー収容器７Ｙ、７Ｃ、７Ｋのそれぞれは、トナー収容器７Ｍと同じ構造を有する。そのため、以下の説明において、トナー収容器７Ｙ、７Ｃ、７Ｋについての説明を省略する。
【００６９】
トナー収容器７Ｍは、図７Ａに示すように、第２方向に延びる。トナー収容器７Ｍは、筐体４１Ｍと、オーガスクリュー４２Ｍと、第１シャッター４３Ｍと、バネ４４Ｍと、第２シャッター４５Ｍと、突起４６Ｍと、カップリング４７Ｍと、シャフト４８Ｍと、２つのギア４９Ｍ、５０Ｍとを備える。
【００７０】
３．１  筐体
筐体４１Ｍは、第２方向に延びる。筐体４１Ｍは、円筒形状を有する。筐体４１Ｍは、トナーを収容する。筐体４１Ｍは、第２方向における一方の外表面Ｓ２１と、第２方向における他方の外表面Ｓ２２とを有する。外表面Ｓ２２は、第２方向において、外表面Ｓ２１から離れて位置する。外表面Ｓ２２は、トナー収容器７Ｍが画像形成装置１に装着された状態で、第２方向において、第３カバー３Ｃ（図８参照）と外表面Ｓ２１との間に位置する。また、筐体４１Ｍは、突出部５１を有する。
【００７１】
突出部５１は、筐体４１Ｍの外表面Ｓ２１に位置する。突出部５１は、外表面Ｓ２１から延びる。突出部５１は、第２方向に延びる。突出部５１は、円筒形状を有する。突出部５１の内部空間は、筐体４１Ｍの内部空間と通じる。突出部５１は、トナー排出口５１Ａを有する。すなわち、筐体４１Ｍは、トナー排出口５１Ａを有する。トナー排出口５１Ａは、突出部５１の周面に位置する。トナー排出口５１Ａは、突出部５１の内部空間と通じる。これにより、トナー排出口５１Ａは、トナーを排出する。
【００７２】
３．２  オーガスクリュー
オーガスクリュー４２Ｍは、筐体４１Ｍ内に位置する。オーガスクリュー４２Ｍは、第２方向に延びる。オーガスクリュー４２Ｍは、第２方向に延びる軸について回転可能である。オーガスクリュー４２Ｍは、筐体４１Ｍ内のトナーをトナー排出口５１Ａに向かって搬送する。
【００７３】
３．３  第１シャッターおよびバネ
第１シャッター４３Ｍは、筐体４１Ｍの外表面Ｓ２１に位置する。詳しくは、第１シャッター４３Ｍは、突出部５１の外周面に位置する。第１シャッター４３Ｍは、第１閉位置（図７Ａ参照）と第１開位置（図７Ｂ参照）との間を、第２方向に移動可能である。第１シャッター４３Ｍが第１閉位置に位置する場合、第１シャッター４３Ｍは、トナー排出口５１Ａを閉じる。第１シャッター４３Ｍが第１開位置に位置する場合、トナー排出口５１Ａが開く。
【００７４】
バネ４４Ｍは、開位置に位置する第１シャッター４３Ｍを、閉位置に向かって押圧する。第１シャッター４３Ｍは、トナー収容器７Ｍが画像形成装置１に装着されるときに、画像形成装置１の一部と接触することにより、バネ４４Ｍの押圧力に抗して、閉位置から開位置へ移動する。一方、第１シャッター４３Ｍは、トナー収容器７Ｍが画像形成装置１から取り外されるときに、バネ４４Ｍの押圧力により、開位置から閉位置へ移動する。
【００７５】
３．４  第２シャッターおよび突起
第２シャッター４５Ｍは、筐体４１Ｍ内に位置する。詳しくは、第２シャッター４５Ｍは、突出部５１内に位置する。第２シャッター４５Ｍは、第２閉位置（図７Ａ参照）と第２開位置（図７Ｂ参照）との間を移動可能である。第２シャッター４５Ｍが第２閉位置に位置する場合、第２シャッター４５Ｍは、トナー排出口５１Ａを閉じる。第２シャッター４５Ｍが第２開位置に位置する場合、トナー排出口５１Ａが開く。詳しくは、第２シャッター４５Ｍは、図７Ｂに示すように、第２方向において、筐体４１Ｍの外表面Ｓ２２から突出部５１まで延びる。第２シャッター４５Ｍは、第２閉位置と第２開位置との間を、第２方向に延びる軸について回転可能である。第２シャッター４５Ｍは、開口４５１を有する。開口４５１は、第２シャッター４５Ｍが開位置に位置する状態で、トナー排出口５１Ａと通じる。一方、開口４５１は、第２シャッター４５Ｍが閉位置に位置する状態で、トナー排出口５１Ａから離れて位置し、トナー排出口５１Ａと通じない。
【００７６】
突起４６Ｍは、筐体４１Ｍの外表面Ｓ２２に位置する。突起４６Ｍは、第２シャッター４５Ｍとともに、第２方向に延びる軸について回転可能である。ユーザーは、突起４６Ｍを回すことにより、第２シャッター４５Ｍを、開位置と閉位置との間で移動させることができる。
【００７７】
３．５  カップリング、シャフト、および、２つのギア
カップリング４７Ｍは、筐体４１Ｍの外表面Ｓ２１に位置する。カップリング４７Ｍは、第２方向に延びる軸について回転可能である。カップリング４７Ｍは、トナー収容器７Ｍが画像形成装置１に装着された状態で、本体筐体２内のカップリング１００（図８および図１２参照）と接続する。カップリング４７Ｍは、カップリング１００と接続された状態で、カップリング１００とともに回転可能である。これにより、カップリング４７Ｍは、トナー収容器７Ｍが画像形成装置１に装着された状態で、カップリング１００からの動力を受けることができる。
【００７８】
シャフト４８Ｍは、第２方向に延びる。シャフト４８Ｍは、カップリング４７Ｍとともに、第２方向に延びる軸について回転可能である。詳しくは、シャフト４８Ｍは、カップリング４７Ｍと接続する第１端と、第２方向において第１端から離れて位置する第２端とを有する。
【００７９】
ギア４９Ｍは、シャフト４８Ｍの第２端に取り付けられる。ギア４９Ｍは、シャフト４８Ｍとともに回転可能である。
【００８０】
ギア５０Ｍは、オーガスクリュー４２Ｍに取り付けられる。ギア５０Ｍは、オーガスクリュー４２Ｍとともに回転可能である。ギア５０Ｍは、ギア４９Ｍと噛み合う。カップリング４７Ｍがカップリング１００から受けた動力は、シャフト４８Ｍ、ギア４９Ｍおよびギア５０Ｍにより、オーガスクリュー４２Ｍに伝えられる。
【００８１】
４．画像形成装置の詳細
次いで、図８から図１５を参照して、画像形成装置１の詳細について説明する。
【００８２】
画像形成装置１は、図８または図９に示すように、４つの本体カップリング６１Ｙ、６１Ｍ、６１Ｃ、６１Ｋと、４つの廃トナー搬送管６２Ｙ、６２Ｍ、６２Ｃ、６２Ｋと、４つのシャッター６３Ｙ、６３Ｍ、６３Ｃ、６３Ｋと、廃トナー収容器６４と、４つのトナー搬送管６５Ｙ、６５Ｍ、６５Ｃ、６５Ｋと、４つの接続部材７０Ｙ、７０Ｍ、７０Ｃ、７０Ｋ（図２参照）と、８つの押圧部材６７Ｙ、６７Ｍ、６７Ｃ、６７Ｋ、６８Ｙ、６８Ｍ、６８Ｃ、６８Ｋと、カム６６と、２つの回路基板６９Ａ、６９Ｂとを備える。
【００８３】
４．１  本体カップリング
４つの本体カップリング６１Ｙ、６１Ｍ、６１Ｃ、６１Ｋは、本体筐体２内に位置する。４つの本体カップリング６１Ｙ、６１Ｍ、６１Ｃ、６１Ｋは、図９に示すように、第１方向に並ぶ。本体カップリング６１Ｙは、第２方向において、ドラムカートリッジ６Ｙに対して、廃トナー搬送管６２Ｙの反対側に位置する。本体カップリング６１Ｍは、第２方向において、ドラムカートリッジ６Ｍに対して、廃トナー搬送管６２Ｍの反対側に位置する。本体カップリング６１Ｃは、第２方向において、ドラムカートリッジ６Ｃに対して、廃トナー搬送管６２Ｃの反対側に位置する。本体カップリング６１Ｋは、第２方向において、ドラムカートリッジ６Ｋに対して、廃トナー搬送管６２Ｋの反対側に位置する。
【００８４】
４つの本体カップリング６１Ｙ、６１Ｍ、６１Ｃ、６１Ｋのそれぞれは、図９および図１０に示すように、本体カップリング接続位置（図９参照）と本体カップリング接続解除位置（図１０参照）との間を、第２方向に移動可能である。
【００８５】
ドラムカートリッジ６Ｍがドロワ５に装着され、ドロワ５が内側位置に位置する状態で、本体カップリング６１Ｍが本体カップリング接続位置に位置する場合、本体カップリング６１Ｍは、ドラムカートリッジ６Ｍの第１ドラムカップリング３２（図６Ａ参照）と接続する。これにより、本体カップリング６１Ｍは、ドラムカートリッジ６Ｍがドロワ５に装着され、ドロワ５が内側位置に位置する状態で、ドラムカートリッジ６Ｍに画像形成装置１からの動力を伝える。
【００８６】
一方、ドラムカートリッジ６Ｍがドロワ５に装着され、ドロワ５が内側位置に位置する状態で、本体カップリング６１Ｍが本体カップリング接続解除位置に位置する場合、本体カップリング６１Ｍは、ドラムカートリッジ６Ｍの第１ドラムカップリング３２から離れる。これにより、ドラムカートリッジ６Ｍへの画像形成装置１からの動力の伝達が、解除される。
【００８７】
なお、本体カップリング６１Ｙ、６１Ｃ、６１Ｋのそれぞれは、本体カップリング６１Ｍと同じ構造を有する。そのため、本体カップリング６１Ｙ、６１Ｃ、６１Ｋについての説明を省略する。
【００８８】
４．２  廃トナー搬送管
４つの廃トナー搬送管６２Ｙ、６２Ｍ、６２Ｃ、６２Ｋは、図９に示すように、第１方向に並ぶ。４つの廃トナー搬送管６２Ｙ、６２Ｍ、６２Ｃ、６２Ｋのそれぞれは、図９および図１０に示すように、第１接続位置（図９参照）と第１接続解除位置（図１０参照）との間を、第２方向に移動可能である。４つの廃トナー搬送管６２Ｙ、６２Ｍ、６２Ｃ、６２Ｋのそれぞれは、４つのドラムカートリッジ６Ｙ、６Ｍ、６Ｃ、６Ｋが装着されたドロワ５が内側位置に位置している状態で、カバー３Ａが閉位置（図２参照）から開位置（図３参照）へ移動する場合に、カバー３Ａに連動して、第１接続位置から第１接続解除位置へ移動する。
【００８９】
図９に示すように、廃トナー搬送管６２Ｙが第１接続位置に位置する場合、廃トナー搬送管６２Ｙは、ドラムカートリッジ６Ｙの第２接続部３４（図６Ｂ参照）と接続する。廃トナー搬送管６２Ｍが第１接続位置に位置する場合、廃トナー搬送管６２Ｍは、ドラムカートリッジ６Ｍの第２接続部３４と接続する。廃トナー搬送管６２Ｃが第１接続位置に位置する場合、廃トナー搬送管６２Ｃは、ドラムカートリッジ６Ｃの第２接続部３４と接続する。廃トナー搬送管６２Ｋが第１接続位置に位置する場合、廃トナー搬送管６２Ｋは、ドラムカートリッジ６Ｋの第２接続部３４と接続する。また、廃トナー収容器６４が画像形成装置１に取り付けられた状態で、４つの廃トナー搬送管６２Ｙ、６２Ｍ、６２Ｃ、６２Ｋのそれぞれは、廃トナー収容器６４と接続する。
【００９０】
これにより、廃トナー搬送管６２Ｙが第１接続位置に位置する場合、廃トナー搬送管６２Ｙは、ドラムカートリッジ６Ｙから廃トナー収容器６４に廃トナーを搬送する。廃トナー搬送管６２Ｍが第１接続位置に位置する場合、廃トナー搬送管６２Ｍは、ドラムカートリッジ６Ｍから廃トナー収容器６４に廃トナーを搬送する。廃トナー搬送管６２Ｃが第１接続位置に位置する場合、廃トナー搬送管６２Ｃは、ドラムカートリッジ６Ｃから廃トナー収容器６４に廃トナーを搬送する。廃トナー搬送管６２Ｋが第１接続位置に位置する場合、廃トナー搬送管６２Ｋは、ドラムカートリッジ６Ｋから廃トナー収容器６４に廃トナーを搬送する。
【００９１】
一方、図１０に示すように、廃トナー搬送管６２Ｙが第１接続解除位置に位置する場合、廃トナー搬送管６２Ｙは、ドラムカートリッジ６Ｙとの接続が解除される。廃トナー搬送管６２Ｍが第１接続解除位置に位置する場合、廃トナー搬送管６２Ｍは、ドラムカートリッジ６Ｍとの接続が解除される。廃トナー搬送管６２Ｃが第１接続解除位置に位置する場合、廃トナー搬送管６２Ｃは、ドラムカートリッジ６Ｃとの接続が解除される。廃トナー搬送管６２Ｋが第１接続解除位置に位置する場合、廃トナー搬送管６２Ｋは、ドラムカートリッジ６Ｋとの接続が解除される。
【００９２】
廃トナー搬送管６２Ｍは、図１１Ａに示すように、第２方向に延びる。廃トナー搬送管６２Ｍは、第２方向において、第１端Ｅ１と第２端Ｅ２とを有する。第１端Ｅ１は、廃トナー搬送管６２Ｍが第１接続位置に位置する状態で、ドラムカートリッジ６Ｍの第２接続部３４（図５Ａ参照）と接続する。第２端Ｅ２は、第２方向において、第１端Ｅ１から離れて位置する。第２端Ｅ２は、廃トナー収容器６４が画像形成装置１に装着された状態で、廃トナー収容器６４（図８参照）と接続する。廃トナー搬送管６２Ｍは、円筒形状を有する。廃トナー搬送管６２Ｍは、廃トナー受入口６２１Ｍと、廃トナー排出口６２２Ｍとを有する。また、廃トナー搬送管６２Ｍは、オーガスクリュー６２３Ｍと、搬送管カップリング６２４Ｍと、突起６２５Ｍとを備える。
【００９３】
廃トナー受入口６２１Ｍは、廃トナー搬送管６２Ｍの第１端Ｅ１を含む端部に位置する。廃トナー受入口６２１Ｍは、廃トナー搬送管６２Ｍの内部空間と通じる。廃トナー受入口６２１Ｍは、廃トナー搬送管６２Ｍが第１接続位置に位置した状態で、ドラムカートリッジ６Ｍの第２接続部３４の貫通穴３４Ａ（図６Ｂ参照）と通じる。これにより、廃トナー搬送管６２Ｍが第１接続位置に位置した状態で、廃トナー搬送管６２Ｍは、ドラムカートリッジ６Ｍのドラムクリーナー１８Ｍから廃トナーを受け入れ可能となる。
【００９４】
廃トナー排出口６２２Ｍは、廃トナー搬送管６２Ｍの第２端Ｅ２を含む端部に位置する。廃トナー排出口６２２Ｍは、廃トナー搬送管６２Ｍの内部空間と通じる。これにより、廃トナー排出口６２２Ｍは、廃トナー搬送管６２Ｍ内の廃トナーを排出する。
【００９５】
廃トナー排出口６２２Ｍは、図８および図１４に示すように、廃トナー搬送管６２Ｍが第１接続位置に位置する場合（図８参照）と、廃トナー搬送管６２Ｍが第１接続解除位置に位置する場合（図１４参照）との両方の場合で、廃トナー収容器６４内に位置する。これにより、廃トナー搬送管６２Ｍが移動するときに、廃トナー排出口６２２Ｍから排出されるトナーが廃トナー収容器６４の外にこぼれることを抑制できる。
【００９６】
オーガスクリュー６２３Ｍは、廃トナー搬送管６２Ｍ内に位置する。オーガスクリュー６２３Ｍは、第２方向に延びる。オーガスクリュー６２３Ｍは、第２方向に延びる軸について回転可能である。オーガスクリュー６２３Ｍは、廃トナー搬送管６２Ｍ内の廃トナーを、廃トナー受入口６２１Ｍから廃トナー排出口６２２Ｍに向かって搬送する。
【００９７】
搬送管カップリング６２４Ｍは、廃トナー搬送管６２Ｍの第１端Ｅ１に位置する。搬送管カップリング６２４Ｍは、第２方向における廃トナー搬送管６２Ｍの一方の外表面に位置する。搬送管カップリング６２４Ｍは、オーガスクリュー６２３Ｍとともに、第２方向に延びる軸について回転可能である。搬送管カップリング６２４Ｍは、ドラムカートリッジ６Ｍがドロワ５に装着され、ドロワ５が内側位置に位置し、廃トナー搬送管６２Ｍが第１接続位置に位置する状態で、第２ドラムカップリング３４Ｄ（図６Ｂ参照）と接続される。搬送管カップリング６２４Ｍは、第２ドラムカップリング３４Ｄと接続された状態で、第２ドラムカップリング３４Ｄとともに回転可能である。これにより、オーガスクリュー６２３Ｍは、ドラムカートリッジ６Ｍがドロワ５に装着され、ドロワ５が内側位置に位置し、廃トナー搬送管６２Ｍが第１接続位置に位置する状態で、ドラムカートリッジ６Ｍから動力を受けて回転可能である。
【００９８】
突起６２５Ｍは、第２方向において、廃トナー受入口６２１Ｍと廃トナー排出口６２２Ｍとの間に位置する。突起６２５Ｍは、廃トナー搬送管６２Ｍの外周面から突出する。突起６２５Ｍは、バネ６２６Ｍと接触する。バネ６２６Ｍは、第１接続解除位置に位置する廃トナー搬送管６２Ｍの突起６２５Ｍを、廃トナー搬送管６２Ｍが第１接続位置に向かう方向に押圧する。また、突起６２５Ｍには、カバー３Ａが閉位置から開位置へ移動するときに、カム６６の第１押圧部８１２Ｍが接触する。第１押圧部８１２Ｍについては、後で説明する。すると、廃トナー搬送管６２Ｍは、カム６６の第１押圧部８１２Ｍによって押圧されることにより、バネ６２６Ｍの押圧力に抗して、第１接続位置から第１接続解除位置へ向かって移動する。
【００９９】
なお、廃トナー搬送管６２Ｙ、６２Ｃ、６２Ｋのそれぞれは、廃トナー搬送管６２Ｍと同じ構造を有する。そのため、廃トナー搬送管６２Ｙ、６２Ｃ、６２Ｋについての説明を省略する。
【０１００】
４．３  シャッター
シャッター６３Ｍは、図１１Ａおよび図１１Ｂに示すように、閉位置（図１１Ａ参照）と開位置（図１１Ｂ参照）との間を第２方向に移動可能である。シャッター６３Ｍが閉位置に位置する場合、シャッター６３Ｍは、廃トナー排出口６２２Ｍを閉じる。シャッター６３Ｍが開位置に位置する場合、廃トナー排出口６２２Ｍが開く。
【０１０１】
シャッター６３Ｍは、廃トナー収容器６４（図８参照）が画像形成装置１に取り付けられるときに、廃トナー収容器６４と接触した状態で、閉位置から開位置へ移動する。また、シャッター６３Ｍは、廃トナー収容器６４が画像形成装置１に取り外されるときに、廃トナー収容器６４と接触した状態で開位置から閉位置へ移動する。
【０１０２】
また、廃トナー搬送管６２Ｍは、図９および図１０に示すように、廃トナー収容器６４が画像形成装置１に取り付けられ、シャッター６３Ｍが開位置に位置した状態で、第１接続位置（図９参照）と第１接続解除位置（図１０参照）との間を移動可能である。
【０１０３】
シャッター６３Ｍは、図１１Ａに示すように、第２方向に延びる。シャッター６３Ｍは、円筒形状を有する。シャッター６３Ｍは、廃トナー搬送管６２Ｍの周面に位置する。図１１Ｂに示すように、開位置に位置するシャッター６３Ｍは、バネ６３１Ｍにより、閉位置に向かって押圧される。
【０１０４】
なお、シャッター６３Ｙ、６３Ｃ、６３Ｋのそれぞれは、シャッター６３Ｍと同じ構造を有する。そのため、シャッター６３Ｙ、６３Ｃ、６３Ｋについての説明を省略する。
【０１０５】
４．４  廃トナー収容器
廃トナー収容器６４は、図９に示すように、第１方向に延びるボックス形状を有する。廃トナー収容器６４は、画像形成装置１に取り付けられた状態で、４つの廃トナー搬送管６２Ｙ、６２Ｍ、６２Ｃ、６２Ｋと接続される。廃トナー収容器６４は、画像形成装置１に取り付けられた状態で、ドラムクリーナー１８Ｙによって感光ドラム１５Ｙの周面から除去された廃トナーと、ドラムクリーナー１８Ｍによって感光ドラム１５Ｍの周面から除去された廃トナーと、ドラムクリーナー１８Ｃによって感光ドラム１５Ｃの周面から除去された廃トナーと、ドラムクリーナー１８Ｋによって感光ドラム１５Ｋの周面から除去された廃トナーとを収容する。廃トナー収容器６４は、図１２に示すように、第２カバー３Ｂが開位置に位置する状態で、第２開口２Ｂを通って、第２方向に沿って、本体筐体２から取り外し可能である。
【０１０６】
４．５  トナー搬送管
４つのトナー搬送管６５Ｙ、６５Ｍ、６５Ｃ、６５Ｋは、図９に示すように、第１方向に並ぶ。トナー搬送管６５Ｙは、第２方向において、ドラムカートリッジ６Ｙに対して、廃トナー搬送管６２Ｙの反対側に位置する。トナー搬送管６５Ｍは、第２方向において、ドラムカートリッジ６Ｍに対して、廃トナー搬送管６２Ｍの反対側に位置する。トナー搬送管６５Ｃは、第２方向において、ドラムカートリッジ６Ｃに対して、廃トナー搬送管６２Ｃの反対側に位置する。トナー搬送管６５Ｋは、第２方向において、ドラムカートリッジ６Ｋに対して、廃トナー搬送管６２Ｋの反対側に位置する。
【０１０７】
４つのトナー搬送管６５Ｙ、６５Ｍ、６５Ｃ、６５Ｋのそれぞれは、図９および図１０に示すように、第２接続位置（図９参照）と第２接続解除位置（図１０参照）との間を、第２方向に移動可能である。４つのトナー搬送管６５Ｙ、６５Ｍ、６５Ｃ、６５Ｋのそれぞれは、４つのドラムカートリッジ６Ｙ、６Ｍ、６Ｃ、６Ｋが装着されたドロワ５が内側位置に位置している状態で、カバー３Ａが閉位置（図２参照）から開位置（図３参照）へ移動する場合に、カバー３Ａに連動して、第２接続位置から第２接続解除位置へ移動する。
【０１０８】
図９に示すように、トナー搬送管６５Ｙが第２接続位置に位置する場合、トナー搬送管６５Ｙは、ドラムカートリッジ６Ｙに接続される。トナー搬送管６５Ｙは、ドラムカートリッジ６Ｙに接続された状態で、トナー収容器７Ｙ（図２参照）からのトナーを、ドラムカートリッジ６Ｙに搬送する。トナー搬送管６５Ｍが第２接続位置に位置する場合、トナー搬送管６５Ｍは、ドラムカートリッジ６Ｍに接続される。トナー搬送管６５Ｍは、ドラムカートリッジ６Ｍに接続された状態で、トナー収容器７Ｍ（図２参照）からのトナーを、ドラムカートリッジ６Ｍに搬送する。トナー搬送管６５Ｃが第２接続位置に位置する場合、トナー搬送管６５Ｃは、ドラムカートリッジ６Ｃに接続される。トナー搬送管６５Ｃは、ドラムカートリッジ６Ｃに接続された状態で、トナー収容器７Ｃ（図２参照）からのトナーを、ドラムカートリッジ６Ｃに搬送する。トナー搬送管６５Ｋが第２接続位置に位置する場合、トナー搬送管６５Ｋは、ドラムカートリッジ６Ｋに接続される。トナー搬送管６５Ｋは、ドラムカートリッジ６Ｋに接続された状態で、トナー収容器７Ｋ（図２参照）からのトナーを、ドラムカートリッジ６Ｋに搬送する。
【０１０９】
一方、図１０に示すように、トナー搬送管６５Ｙが第２接続解除位置に位置する場合、トナー搬送管６５Ｙは、ドラムカートリッジ６Ｙから離れる。これにより、トナー搬送管６５Ｙとドラムカートリッジ６Ｙとの接続が解除される。トナー搬送管６５Ｍが第２接続解除位置に位置する場合、トナー搬送管６５Ｍは、ドラムカートリッジ６Ｍから離れる。これにより、トナー搬送管６５Ｍとドラムカートリッジ６Ｍとの接続が解除される。トナー搬送管６５Ｃが第２接続解除位置に位置する場合、トナー搬送管６５Ｃは、ドラムカートリッジ６Ｃから離れる。これにより、トナー搬送管６５Ｃとドラムカートリッジ６Ｃとの接続が解除される。トナー搬送管６５Ｋが第２接続解除位置に位置する場合、トナー搬送管６５Ｋは、ドラムカートリッジ６Ｋから離れる。これにより、トナー搬送管６５Ｋとドラムカートリッジ６Ｋとの接続が解除される。
【０１１０】
４つの廃トナー搬送管６２Ｙ、６２Ｍ、６２Ｃ、６２Ｋのすべてが第１接続解除位置に位置し、かつ、４つのトナー搬送管６５Ｙ、６５Ｍ、６５Ｃ、６５Ｋのすべてが第２接続解除位置に位置する状態で、４つのドラムカートリッジ６Ｙ、６Ｍ、６Ｃ、６Ｋが装着されたドロワ５は、内側位置から外側位置に移動可能となる。
【０１１１】
トナー搬送管６５Ｍは、図１３に示すように、第２方向に延びる。トナー搬送管６５Ｍは、第２方向において、第１端Ｅ１１と第２端Ｅ１２とを有する。第１端Ｅ１１は、接続部材７０Ｍの第２筒７０２Ｍに嵌まる。接続部材７０Ｍについては、後で説明する。第２端Ｅ１２は、第２方向において、第１端Ｅ１１から離れて位置する。第２端Ｅ１２は、トナー搬送管６５Ｍが第２接続位置に位置する状態で、ドラムカートリッジ６Ｍの第１接続部３３に接続される。トナー搬送管６５Ｍは、円筒形状を有する。トナー搬送管６５Ｍは、トナー受入口６５１Ｍと、トナー排出口６５２Ｍとを有する。また、トナー搬送管６５Ｍは、オーガスクリュー６５３Ｍと、突起６５４Ｍとを備える。
【０１１２】
トナー受入口６５１Ｍは、トナー搬送管６５Ｍの第１端Ｅ１１を含む端部に位置する。トナー受入口６５１Ｍは、トナー搬送管６５Ｍの内部空間と通じる。トナー受入口６５１Ｍは、トナー搬送管６５Ｍが第２接続位置に位置した状態で、ドラムカートリッジ６Ｍの第２筒７０２Ｍの貫通穴７０５Ｍと通じる。これにより、トナー搬送管６５Ｍが第２接続位置に位置した状態で、トナー搬送管６５Ｍは、トナー収容器７Ｍからのトナーを受け入れ可能となる。
【０１１３】
トナー排出口６５２Ｍは、トナー搬送管６５Ｍの第２端Ｅ１２を含む端部に位置する。トナー排出口６５２Ｍは、トナー搬送管６５Ｍの内部空間と通じる。また、トナー排出口６５２Ｍは、ドラムカートリッジ６Ｍがドロワ５に装着され、ドロワ５が内側位置に位置し、トナー搬送管６５Ｍが第２接続位置に位置した状態で、第１接続部３３の貫通穴３３Ａ（図５Ｂ参照）と通じる。これにより、トナー搬送管６５Ｍ内のトナーは、トナー排出口６５２Ｍ、貫通穴３３Ａ、および、現像器１７Ｍの受入口１７３（図６Ａ参照）を通って、現像器１７Ｍ内に入る。
【０１１４】
オーガスクリュー６５３Ｍは、トナー搬送管６５Ｍ内に位置する。オーガスクリュー６５３Ｍは、第２方向に延びる。オーガスクリュー６５３Ｍは、第２方向に延びる軸について回転可能である。オーガスクリュー６５３Ｍは、トナー搬送管６５Ｍ内の廃トナーを、トナー受入口６５１Ｍからトナー排出口６５２Ｍに向かって搬送する。
【０１１５】
突起６５４Ｍは、第２方向において、トナー受入口６５１Ｍとトナー排出口６５２Ｍとの間に位置する。突起６５４Ｍは、トナー搬送管６５Ｍの外周面から突出する。突起６５４Ｍには、トナー搬送管６５Ｍが第２接続位置から第２接続解除位置へ移動するときに、カム６６の第２押圧部８２２Ｍが接触する。第２押圧部８２２Ｍについては、後で説明する。トナー搬送管６５Ｍは、カム６６の第２押圧部８２２Ｍによって押圧されることにより、第２筒７０２Ｍ内のバネ７０６Ｍの押圧力に抗して、第２接続位置から第２接続解除位置へ向かって移動する。
【０１１６】
なお、トナー搬送管６５Ｙ、６５Ｃ、６５Ｋのそれぞれは、トナー搬送管６５Ｍと同じ構造を有する。そのため、トナー搬送管６５Ｙ、６５Ｃ、６５Ｋについての説明を省略する。
【０１１７】
４．６  接続部材
４つの接続部材７０Ｙ、７０Ｍ、７０Ｃ、７０Ｋは、図２に示すように、第１方向に並ぶ。接続部材７０Ｙは、トナー収容器７Ｙとトナー搬送管６５Ｙとを接続する。接続部材７０Ｍは、トナー収容器７Ｍとトナー搬送管６５Ｍとを接続する。接続部材７０Ｃは、トナー収容器７Ｃとトナー搬送管６５Ｃとを接続する。接続部材７０Ｋは、トナー収容器７Ｋとトナー搬送管６５Ｋとを接続する。
【０１１８】
詳しくは、図８および図１２に示すように、接続部材７０Ｍは、第１筒７０１Ｍと、第２筒７０２Ｍと、パイプ７０３Ｍとを有する。なお、接続部材７０Ｙ、７０Ｃ、７０Ｋのそれぞれは、接続部材７０Ｍと同じ構造を有する。そのため、以下の説明において、接続部材７０Ｙ、７０Ｃ、７０Ｋについての説明を省略する。
【０１１９】
第１筒７０１Ｍは、本体筐体２内に位置する。第１筒７０１Ｍは、第２方向に延びる。第１筒７０１Ｍは、円筒形状を有する。第１筒７０１Ｍは、トナー収容器７Ｍが画像形成装置１に装着された状態で、トナー収容器７Ｍの突出部５１（図７Ｂ参照）を受け入れる。第１筒７０１Ｍは、貫通穴７０４Ｍを有する。貫通穴７０４Ｍは、トナー収容器７Ｍが画像形成装置１に装着された状態で、トナー収容器７Ｍのトナー排出口５１Ａ（図７Ｂ参照）と通じる。
【０１２０】
第２筒７０２Ｍは、本体筐体２内において、第１筒７０１Ｍよりも下方に位置する。第２筒７０２Ｍは、第２方向に延びる。第２筒７０２Ｍは、円筒形状を有する。第２筒７０２Ｍは、トナー搬送管６５Ｍの第１端Ｅ１１（図１３参照）を受け入れる。第２筒７０２Ｍは、貫通穴７０５Ｍを有する。貫通穴７０５Ｍは、トナー搬送管６５Ｍが第２接続位置に位置した状態で、トナー搬送管６５Ｍのトナー受入口６５１Ｍ（図１３参照）と通じる。また、第２筒７０２Ｍは、バネ７０６Ｍ（図９および図１０参照）を有する。バネ７０６Ｍは、第２接続解除位置に位置するトナー搬送管６５Ｍを、第２接続位置に向かって押圧する。
【０１２１】
パイプ７０３Ｍは、第１筒７０１Ｍと第２筒７０２Ｍとを接続する。パイプ７０３Ｍの一端は、第１筒７０１Ｍに接続される。パイプ７０３Ｍの他端は、第２筒７０２Ｍに接続される。パイプ７０３Ｍの内部空間は、貫通穴７０４Ｍおよび貫通穴７０５Ｍと通じる。これにより、トナー搬送管６５Ｍが第２接続位置に位置する状態で、トナー収容器７Ｍ内のトナーは、パイプ７０３Ｍを通って、トナー搬送管６５Ｍ内に入る。
【０１２２】
４．７  押圧部材
押圧部材６７Ｍおよび押圧部材６８Ｍは、図８に示すように、ドラムカートリッジ６Ｍがドロワ５に装着され、ドロワ５が内側位置に位置し、カバー３Ａが閉位置に位置する状態で、ドラムカートリッジ６Ｍを上方に向かって押圧する。これにより、感光ドラム１５Ｍは、中間転写ベルト２４と接触する。
【０１２３】
詳しくは、図８および図１４に示すように、押圧部材６７Ｍは、第１押圧位置（図８参照）と第１押圧解除位置（図１４参照）との間を上下方向に移動可能である。押圧部材６７Ｍが第１押圧位置に位置する状態で、押圧部材６７Ｍは、ドラムカートリッジ６Ｍの第１側板３１Ａと接触する。押圧部材６７Ｍが第１押圧解除位置から第１押圧位置へ移動するときに、押圧部材６７Ｍは、ドラムカートリッジ６Ｍの第１側板３１Ａを上方へ押圧する。一方、押圧部材６７Ｍが第１押圧解除位置に位置する状態で、押圧部材６７Ｍは、ドラムカートリッジ６Ｍの第１側板３１Ａから離れる。これにより、押圧部材６７Ｍによるドラムカートリッジ６Ｍに対する押圧が、解除される。
【０１２４】
押圧部材６８Ｍは、第２方向において、押圧部材６７Ｍから離れて位置する。押圧部材６８Ｍは、第２押圧位置（図８参照）と第２押圧解除位置（図１４参照）との間を上下方向に移動可能である。押圧部材６８Ｍが第２押圧位置に位置する状態で、押圧部材６８Ｍは、ドラムカートリッジ６Ｍの第２側板３１Ｂと接触する。押圧部材６８Ｍが第２押圧解除位置から第２押圧位置へ移動するときに、押圧部材６８Ｍは、ドラムカートリッジ６Ｍの第２側板３１Ｂを上方へ押圧する。押圧部材６７Ｍが第１側板３１Ａを押圧し、押圧部材６８Ｍが第２側板３１Ｂを押圧することにより、ドラムカートリッジ６Ｍは、上方に持ち上げられる。これにより、感光ドラム１５Ｍは、中間転写ベルト２４と接触する。一方、押圧部材６８Ｍが第２押圧解除位置に位置する状態で、押圧部材６８Ｍは、ドラムカートリッジ６Ｍの第２側板３１Ｂから離れる。これにより、押圧部材６８Ｍによるドラムカートリッジ６Ｍに対する押圧が、解除される。押圧部材６７Ｍが第１側板３１Ａから離れ、押圧部材６８Ｍが第２側板３１Ｂから離れることにより、ドラムカートリッジ６Ｍは、自重により、下方に下がってドロワ５に支持される。これにより、感光ドラム１５Ｍは、中間転写ベルト２４から離れる。
【０１２５】
なお、押圧部材６７Ｙ、６７Ｃ、６７Ｋのそれぞれは、押圧部材６７Ｍと同じ構造を有し、押圧部材６８Ｙ、６８Ｃ、６８Ｋのそれぞれは、押圧部材６８Ｍと同じ構造を有する。そのため、押圧部材６７Ｙ、６７Ｃ、６７Ｋ、６８Ｙ、６８Ｃ、６８Ｋについての説明を省略する。
【０１２６】
４．８  カム
カム６６は、図９および図１０に示すように、カバー３Ａに連結されている。これにより、カム６６は、カバー３Ａに連動する。詳しくは、カム６６は、カム第１位置（図９参照）と、カム第２位置（図１０参照）との間を、第１方向に移動可能である。カム６６は、カバー３Ａが閉位置から開位置に向かって移動するときに、カバー３Ａによって引っ張られて、カム第１位置からカム第２位置へ移動する。また、カム６６は、カバー３Ａが開位置から閉位置に向かって移動するときに、カバー３Ａによって押圧されて、カム第２位置からカム第１位置へ移動する。
【０１２７】
カム６６は、図１５に示すように、第１カム８１と、第２カム８２と、２つの第３カム８３Ａ、８３Ｂと、２つのガイド８４Ａ、８４Ｂとを有する。すなわち、画像形成装置１は、ガイド８４Ａを有する。
【０１２８】
４．８．１  第１カム
第１カム８１は、図８および図９に示すように、第２方向において、ドロワ５と廃トナー収容器６４との間に位置する。第１カム８１は、図１５に示すように、第１方向に延びる。第１カム８１は、４つの貫通穴８１１Ｙ、８１１Ｍ、８１１Ｃ、８１１Ｋと、４つの第１押圧部８１２Ｙ、８１２Ｍ、８１２Ｃ、８１２Ｋと有する。すなわち、カム６６は、第１押圧部８１２Ｍを有する。
【０１２９】
４つの貫通穴８１１Ｙ、８１１Ｍ、８１１Ｃ、８１１Ｋは、第１方向に並ぶ。４つの貫通穴８１１Ｙ、８１１Ｍ、８１１Ｃ、８１１Ｋのそれぞれは、第１方向に延びる。貫通穴８１１Ｙには、廃トナー搬送管６２Ｙ（図９参照）が通る。貫通穴８１１Ｍには、廃トナー搬送管６２Ｍ（図９参照）が通る。貫通穴８１１Ｃには、廃トナー搬送管６２Ｃ（図９参照）が通る。貫通穴８１１Ｋには、廃トナー搬送管６２Ｋ（図９参照）が通る。
【０１３０】
第１押圧部８１２Ｙは、貫通穴８１１Ｙの周りに位置する。第１押圧部８１２Ｍは、貫通穴８１１Ｍの周りに位置する。第１押圧部８１２Ｃは、貫通穴８１１Ｃの周りに位置する。第１押圧部８１２Ｋは、貫通穴８１１Ｋの周りに位置する。
【０１３１】
第１押圧部８１２Ｍは、図９および図１０に示すように、カバー３Ａが閉位置から開位置へ移動するときに、廃トナー搬送管６２Ｍの突起６２５Ｍ（図１１Ａ参照）に接触する。第１押圧部８１２Ｍは、廃トナー搬送管６２Ｍの突起６２５Ｍを、廃トナー搬送管６２Ｍが第１接続位置から第１接続解除位置へ移動する方向に押圧する。つまり、第１押圧部８１２Ｍは、カバー３Ａが閉位置から開位置へ移動するときに、廃トナー搬送管６２Ｍを第１接続位置から第１接続解除位置へ押圧する。廃トナー搬送管６２Ｍは、第１押圧部８１２Ｍによって押圧されることにより、第１接続位置から第１接続解除位置へ移動する。これにより、廃トナー搬送管６２Ｍは、カバー３Ａが閉位置から開位置へ移動する場合に、カバー３Ａに連動して、第１接続位置から第１接続解除位置へ移動する。
【０１３２】
なお、第１押圧部８１２Ｙ、８１２Ｃ、８１２Ｋのそれぞれは、第１押圧部８１２Ｍと同じ構造を有し、第１押圧部８１２Ｍと同様に作用する。つまり、第１押圧部８１２Ｙは、カバー３Ａが閉位置から開位置へ移動するときに、廃トナー搬送管６２Ｙを第１接続位置から第１接続解除位置へ押圧する。第１押圧部８１２Ｃは、カバー３Ａが閉位置から開位置へ移動するときに、廃トナー搬送管６２Ｃを第１接続位置から第１接続解除位置へ押圧する。第１押圧部８１２Ｋは、カバー３Ａが閉位置から開位置へ移動するときに、廃トナー搬送管６２Ｋを第１接続位置から第１接続解除位置へ押圧する。
【０１３３】
４．８．２  第２カム
第２カム８２は、図８および図９に示すように、第２方向において、ドロワ５と、４つの第２筒７０２Ｙ、７０２Ｍ、７０２Ｃ、７０２Ｋとの間に位置する。第２カム８２は、図１５に示すように、第１方向に延びる。第２カム８２は、４つの貫通穴８２１Ｙ、８２１Ｍ、８２１Ｃ、８２１Ｋと、４つの第２押圧部８２２Ｙ、８２２Ｍ、８２２Ｃ、８２２Ｋと、４つの貫通穴８２３Ｙ、８２３Ｍ、８２３Ｃ、８２３Ｋと、４つの第３押圧部８２４Ｙ、８２４Ｍ、８２４Ｃ、８２４Ｋとを有する。すなわち、カム６６は、第２押圧部８２２Ｍを有する。
【０１３４】
４つの貫通穴８２１Ｙ、８２１Ｍ、８２１Ｃ、８２１Ｋは、第１方向に並ぶ。４つの貫通穴８２１Ｙ、８２１Ｍ、８２１Ｃ、８２１Ｋのそれぞれは、第１方向に延びる。貫通穴８２１Ｙには、トナー搬送管６５Ｙ（図９参照）が通る。貫通穴８２１Ｍには、トナー搬送管６５Ｍ（図９参照）が通る。貫通穴８２１Ｃには、トナー搬送管６５Ｃ（図９参照）が通る。貫通穴８２１Ｋには、トナー搬送管６５Ｋ（図９参照）が通る。
【０１３５】
第２押圧部８２２Ｙは、貫通穴８２１Ｙの周りに位置する。第２押圧部８２２Ｍは、貫通穴８２１Ｍの周りに位置する。第２押圧部８２２Ｃは、貫通穴８２１Ｃの周りに位置する。第２押圧部８２２Ｋは、貫通穴８２１Ｋの周りに位置する。
【０１３６】
第２押圧部８２２Ｍは、図９および図１０に示すように、カバー３Ａが閉位置から開位置へ移動するときに、トナー搬送管６５Ｍの突起６５４Ｍ（図１３参照）に接触する。第２押圧部８２２Ｍは、トナー搬送管６５Ｍの突起６５４Ｍを、トナー搬送管６５Ｍが第２接続位置から第２接続解除位置へ移動する方向に押圧する。つまり、第２押圧部８２２Ｍは、カバー３Ａが閉位置から開位置へ移動するときに、トナー搬送管６５Ｍを第２接続位置から第２接続解除位置へ押圧する。トナー搬送管６５Ｍは、第２押圧部８２２Ｍによって押圧されることにより、第２接続位置から第２接続解除位置へ移動する。これにより、トナー搬送管６５Ｍは、カバー３Ａが閉位置から開位置へ移動する場合に、カバー３Ａに連動して、第２接続位置から第２接続解除位置へ移動する。
【０１３７】
なお、第２押圧部８２２Ｙ、８２２Ｃ、８２２Ｋのそれぞれは、第２押圧部８２２Ｍと同じ構造を有し、第２押圧部８２２Ｍと同様に作用する。つまり、第２押圧部８２２Ｙは、カバー３Ａが閉位置から開位置へ移動するときに、トナー搬送管６５Ｙを第２接続位置から第２接続解除位置へ押圧する。第２押圧部８２２Ｃは、カバー３Ａが閉位置から開位置へ移動するときに、トナー搬送管６５Ｃを第２接続位置から第２接続解除位置へ押圧する。第２押圧部８２２Ｋは、カバー３Ａが閉位置から開位置へ移動するときに、トナー搬送管６５Ｋを第２接続位置から第２接続解除位置へ押圧する。
【０１３８】
図１５に示すように、４つの貫通穴８２３Ｙ、８２３Ｍ、８２３Ｃ、８２３Ｋは、第１方向に並ぶ。４つの貫通穴８２３Ｙ、８２３Ｍ、８２３Ｃ、８２３Ｋのそれぞれは、第１方向に延びる。貫通穴８２３Ｙには、本体カップリング６１Ｙ（図９参照）が通る。貫通穴８２３Ｍには、本体カップリング６１Ｍ（図９参照）が通る。貫通穴８２３Ｃには、本体カップリング６１Ｃ（図９参照）が通る。貫通穴８２３Ｋには、本体カップリング６１Ｋ（図９参照）が通る。
【０１３９】
第３押圧部８２４Ｙは、貫通穴８２３Ｙの周りに位置する。第３押圧部８２４Ｍは、貫通穴８２３Ｍの周りに位置する。第３押圧部８２４Ｃは、貫通穴８２３Ｃの周りに位置する。第３押圧部８２４Ｋは、貫通穴８２３Ｋの周りに位置する。
【０１４０】
第３押圧部８２４Ｍは、図９および図１０に示すように、カバー３Ａが閉位置から開位置へ移動するときに、本体カップリング６１Ｍに接触する。第３押圧部８２４Ｍは、本体カップリング６１Ｍを本体カップリング接続位置から本体カップリング接続解除位置へ押圧する。本体カップリング６１Ｍは、第３押圧部８２４Ｍによって押圧されることにより、本体カップリング接続位置から本体カップリング接続解除位置へ移動する。これにより、本体カップリング６１Ｍは、カバー３Ａが閉位置から開位置へ移動する場合に、カバー３Ａに連動して、本体カップリング接続位置から本体カップリング接続解除位置へ移動する。
【０１４１】
なお、第３押圧部８２４Ｙ、８２４Ｃ、８２４Ｋのそれぞれは、第３押圧部８２４Ｍと同じ構造を有し、第３押圧部８２４Ｍと同様に作用する。つまり、第３押圧部８２４Ｙは、カバー３Ａが閉位置から開位置へ移動するときに、本体カップリング６１Ｙを本体カップリング接続位置から本体カップリング接続解除位置へ押圧する。第３押圧部８２４Ｃは、カバー３Ａが閉位置から開位置へ移動するときに、本体カップリング６１Ｃを本体カップリング接続位置から本体カップリング接続解除位置へ押圧する。第３押圧部８２４Ｋは、カバー３Ａが閉位置から開位置へ移動するときに、本体カップリング６１Ｋを本体カップリング接続位置から本体カップリング接続解除位置へ押圧する。
【０１４２】
４．８．３  第３カム
２つの第３カム８３Ａ、８３Ｂは、図８に示すように、ドロワ５が内側位置に位置する状態で、ドロワ５の下方に位置する。詳しくは、第３カム８３Ａは、ドラムカートリッジ６Ｍがドロワ５に装着され、ドロワ５が内側位置に位置する状態で、第１側板３１Ａの下方に位置する。また、第３カム８３Ｂは、ドラムカートリッジ６Ｍがドロワ５に装着され、ドロワ５が内側位置に位置する状態で、第２側板３１Ｂの下方に位置する。
【０１４３】
第３カム８３Ａは、図１５に示すように、第１方向に延びる。第３カム８３Ａは、４つの貫通穴８３１Ｙ、８３１Ｍ、８３１Ｃ、８３１Ｋと、４つの第４押圧部８３２Ｙ、８３２Ｍ、８３２Ｃ、８３２Ｋとを有する。
【０１４４】
４つの貫通穴８３１Ｙ、８３１Ｍ、８３１Ｃ、８３１Ｋは、第１方向に並ぶ。４つの貫通穴８３１Ｙ、８３１Ｍ、８３１Ｃ、８３１Ｋのそれぞれは、第１方向に延びる。貫通穴８３１Ｙには、押圧部材６７Ｙ（図９参照）が通る。貫通穴８３１Ｍには、押圧部材６７Ｍ（図９参照）が通る。貫通穴８３１Ｃには、押圧部材６７Ｃ（図９参照）が通る。貫通穴８３１Ｋには、押圧部材６７Ｋ（図９参照）が通る。
【０１４５】
第４押圧部８３２Ｙは、貫通穴８３１Ｙの周りに位置する。第４押圧部８３２Ｍは、貫通穴８３１Ｍの周りに位置する。第４押圧部８３２Ｃは、貫通穴８３１Ｃの周りに位置する。第４押圧部８３２Ｋは、貫通穴８３１Ｋの周りに位置する。
【０１４６】
第４押圧部８３２Ｍは、図８および図１４に示すように、カバー３Ａが閉位置から開位置へ移動するときに、押圧部材６７Ｍに接触する。第４押圧部８３２Ｍは、押圧部材６７Ｍを第１押圧位置から第１押圧解除位置に向かって押圧する。押圧部材６７Ｍは、第４押圧部８３２Ｍによって押圧されることにより、第１押圧位置から第１押圧解除位置へ移動する。これにより、押圧部材６７Ｍは、カバー３Ａが閉位置から開位置へ移動する場合に、カバー３Ａに連動して、第１押圧位置から第１押圧解除位置へ移動する。
【０１４７】
なお、第４押圧部８３２Ｙ、８３２Ｃ、８３２Ｋのそれぞれは、第４押圧部８３２Ｍと同じ構造を有し、第４押圧部８３２Ｍと同様に作用する。つまり、第４押圧部８３２Ｙは、カバー３Ａが閉位置から開位置へ移動するときに、押圧部材６７Ｙを第１押圧位置から第１押圧解除位置に向かって押圧する。第４押圧部８３２Ｃは、カバー３Ａが閉位置から開位置へ移動するときに、押圧部材６７Ｃを第１押圧位置から第１押圧解除位置に向かって押圧する。第４押圧部８３２Ｋは、カバー３Ａが閉位置から開位置へ移動するときに、押圧部材６７Ｋを第１押圧位置から第１押圧解除位置に向かって押圧する。つまり、第３カム８３Ａは、カバー３Ａが閉位置から開位置へ移動するときに、４つの押圧部材６７Ｋ、６７Ｍ、６７Ｃ、６７Ｋのそれぞれを第１押圧位置から第１押圧解除位置に向かって押圧する。
【０１４８】
第３カム８３Ｂは、図１５に示すように、第２方向において、第３カム８３Ａから離れて位置する。第３カム８３Ｂは、第３カム８３Ａと同じ構造を有する。第３カム８３Ｂは、カバー３Ａが閉位置から開位置へ移動するときに、４つの押圧部材６８Ｋ、６８Ｍ、６８Ｃ、６８Ｋのそれぞれを第２押圧位置から第２押圧解除位置に向かって押圧する。
【０１４９】
４．８．４  ガイド
ガイド８４Ａは、図１５に示すように、第２方向において、第２カム８２と第３カム８３Ａとの間に位置する。ガイド８４Ａは、第１方向に延びる。ガイド８４Ａは、板形状を有する。
【０１５０】
ガイド８４Ａは、収容位置（図２参照）と突出位置（図３参照）との間を、開口２Ａを介して移動可能である。ガイド８４Ａが収容位置に位置する場合、ガイド８４Ａは、本体筐体２内に収容される。ガイド８４Ａが突出位置に位置する場合、ガイド８４Ａは、本体筐体２外に突出する。ガイド８４Ａは、図９に示すように、カム６６がカム第１位置に位置する状態で、収容位置に位置する。ガイド８４Ａは、図１０に示すように、カム６６がカム第２位置に位置する状態で、突出位置に位置する。つまり、ガイド８４Ａは、カバー３Ａが閉位置から開位置へ移動する場合に、カム６６がカバー３Ａに連動してカム第１位置からカム第２位置へ移動することにより、収容位置から突出位置へ移動する。すなわち、ガイド８４Ａは、カバー３Ａが閉位置から開位置へ移動する場合に、カバー３Ａに連動して、収容位置から突出位置へ移動する。ガイド８４Ａは、図３に示すように、突出位置に位置する状態で、ドロワ５の移動を案内する。
【０１５１】
ガイド８４Ｂは、第２方向において、第１カム８１と第３カム８３Ｂとの間に位置する。ガイド８４Ｂは、第２方向において、ガイド８４Ａから離れて位置する。ガイド８４Ｂは、ガイド８４Ａと同じ構造を有する。
【０１５２】
４．９  回路基板
図８に示すように、回路基板６９Ａおよび回路基板６９Ｂは、画像形成装置１の動作を制御する。回路基板６９Ａおよび回路基板６９Ｂは、第２方向において、ドラムカートリッジ６Ｍに対して、本体カップリング６１Ｍの反対側に位置する。回路基板６９Ｂは、上下方向において、回路基板６９Ａと間隔を隔てて位置する。廃トナー搬送管６２Ｍは、上下方向において、回路基板６９Ａと回路基板６９Ｂとの間に位置する。言い換えると、回路基板６９Ｂは、第１方向および第２方向の両方と交差する第３方向において、回路基板と間隔を隔てて位置する。廃トナー搬送管６２Ｍは、第３方向において、回路基板６９Ａと回路基板６９Ｂとの間に位置する。
【０１５３】
５．作用効果
（１）画像形成装置１は、図８に示すように、廃トナー搬送管６２Ｍによって、ドラムカートリッジ６Ｍから廃トナー収容器６４に廃トナーを搬送することができる。
【０１５４】
そして、画像形成装置１は、図１０に示すように、ユーザーがカバー３Ａを閉位置から開位置で移動させることにより、廃トナー搬送管６２Ｍとドラムカートリッジ６Ｍとの接続を解除し、図３に示すように、ドロワ５を内側位置と外側位置との間で移動させることができる。
【０１５５】
そのため、画像形成装置１は、ドロワ５が内側位置と外側位置との間で移動可能でありながら、廃トナーを、ドラムカートリッジ６Ｍから廃トナー収容器６４に搬送できる。
【０１５６】
（２）また、図８および図１４に示すように、廃トナー搬送管６２Ｍの廃トナー排出口６２２Ｍは、廃トナー搬送管６２Ｍが第１接続位置に位置する場合（図８参照）と、廃トナー搬送管６２Ｍが第１接続解除位置に位置する場合（図１０参照）との両方の場合で、廃トナー収容器６４内に位置している。
【０１５７】
これにより、廃トナー搬送管６２Ｍが移動するときに、廃トナー排出口６２２Ｍから排出されるトナーが廃トナー収容器６４の外にこぼれることを抑制できる。
【０１５８】
（３）また、図５Ａに示すように、ドラムカートリッジ６Ｍは、第１ドラムカップリング３２と、第２ドラムカップリング３４Ｄとを備えている。
【０１５９】
第１ドラムカップリング３２は、ドラムカートリッジ６Ｍがドロワ５に装着され、ドロワ５が内側位置に位置する状態（図８参照）で、本体カップリング６１Ｍと接続される。第２ドラムカップリング３４Ｄは、ドラムカートリッジ６Ｍがドロワ５に装着され、ドロワ５が内側位置に位置し、廃トナー搬送管６２Ｍが第１接続位置に位置する状態で、廃トナー搬送管６２Ｍの搬送管カップリング６２４Ｍ（図１１参照）と接続される。第２ドラムカップリング３４Ｄは、第１ドラムカップリング３２からの動力により回転可能である。
【０１６０】
これにより、本体カップリング６１Ｍから第１ドラムカップリング３２に入力された動力は、第２ドラムカップリング３４Ｄを介して、廃トナー搬送管６２Ｍの搬送管カップリング６２４Ｍに伝わる。
【０１６１】
その結果、画像形成装置１からドラムカートリッジ６Ｍに入力された動力を利用して、廃トナー搬送管６２Ｍを作動させることができる。
【０１６２】
（４）また、図７Ａおよび図７Ｂに示すように、トナー収容器７Ｍは、筐体４１Ｍの外表面Ｓ２１に位置する第１シャッター４３Ｍと、筐体４１Ｍ内に位置する第２シャッター４５Ｍとを備える。
【０１６３】
これにより、第１シャッター４３Ｍを第１開位置に位置させ、かつ、第２シャッター４５Ｍを第２開位置に位置させなければ、トナー排出口５１Ａが開かない。
【０１６４】
そのため、意図せずトナー排出口５１Ａが開いてトナーがこぼれることを抑制できる。
【０１６５】
（５）また、図９および図１０に示すように、画像形成装置１は、カバー３Ａに連動するカム６６を備える。カム６６は、カバー３Ａが閉位置から開位置へ移動するときに、第１押圧部８１２Ｍによって、廃トナー搬送管６２Ｍを第１接続位置から第１接続解除位置へ押圧するとともに、第２押圧部８２２Ｍによって、トナー搬送管６５Ｍを第２接続位置から第２接続解除位置へ押圧する。
【０１６６】
これにより、ユーザーがカバー３Ａを閉位置から開位置へ移動させるという１つの動作で、廃トナー搬送管６２Ｍとトナー搬送管６５Ｍとの両方を、ドラムカートリッジ６Ｍから外すことができる。
【符号の説明】
【０１６７】
１        画像形成装置
２        本体筐体
２Ａ      開口
３Ａ      カバー
５        ドロワ
６Ｍ      ドラムカートリッジ
７Ｍ      トナー収容器
１５Ｍ    感光ドラム
１８Ｍ    ドラムクリーナー
３２      第１ドラムカップリング
３４Ｄ    第２ドラムカップリング
４１Ｍ    筐体
４３Ｍ    第１シャッター
４５Ｍ    第２シャッター
６１Ｍ    本体カップリング
６２Ｍ    廃トナー搬送管
６３Ｍ    シャッター
６４      廃トナー収容器
６５Ｍ    トナー搬送管
６６      カム
６９Ａ    回路基板
６９Ｂ    回路基板
８４Ａ    ガイド
６２４Ｍ  搬送管カップリング
６５２Ｍ  トナー排出口
８１２Ｍ  第１押圧部
８２２Ｍ  第２押圧部
Ａ１      軸線
【図１】
2020034700.tif 000003
【図２】
2020034700.tif 000004
【図３】
2020034700.tif 000005
【図４】
2020034700.tif 000006
【図５】
2020034700.tif 000007
【図６】
2020034700.tif 000008
【図７】
2020034700.tif 000009
【図８】
2020034700.tif 000010
【図９】
2020034700.tif 000011
【図１０】
2020034700.tif 000012
【図１１】
2020034700.tif 000013
【図１２】
2020034700.tif 000014
【図１３】
2020034700.tif 000015
【図１４】
2020034700.tif 000016
【図１５】
2020034700.tif 000017